(57)【要約】【課題】グリップした際の周方向位置を正確に把握することのできるゴルフクラブ用グリップを提供する。【解決手段】グリップ本体５の外周面の周方向所定箇所に他の部分と異なった感触を有する触感部６を設けたので、グリップした際、触感部６の感触によりグリップ４の周方向位置を正確に把握することができ、グリップする方向の再現性を高めることができる。これにより、ゴルフクラブヘッド３を常に適正な向きにして構えることができ、ミスショットの発生を少なくすることができる。【選択図】図２
2008023189.tif 000002
【特許請求の範囲】
【請求項１】
グリップ本体を弾性材料によって形成され、ゴルフクラブシャフトの基端部に装着されるゴルフクラブ用グリップにおいて、
前記グリップ本体の外周面の周方向所定箇所に、他の部分と異なった感触を有する触感部を設けた
ことを特徴とするゴルフクラブ用グリップ。
【請求項２】
前記触感部を、グリップ本体の全長に対して２０％以上の長さで周方向３ｍｍ以上３０ｍｍ以下の幅を有する領域に形成した
ことを特徴とする請求項１記載のゴルフクラブ用グリップ。
【請求項３】
前記触感部を、グリップ本体に植毛された短繊維によって形成した
ことを特徴とする請求項１または２記載のゴルフクラブ用グリップ。
【請求項４】
前記短繊維を静電植毛によって植毛した
ことを特徴とする請求項３記載のゴルフクラブ用グリップ。
【請求項５】
前記短繊維を、８デニール以上２５デニール以下の断面径に形成するとともに、１ｍｍ以上１．５ｍｍ以下の繊維長に形成した
ことを特徴とする請求項３及び４記載のゴルフクラブ用グリップ。
【請求項６】
前記触感部をグリップ本体の長手方向に延びる突条部に設けた
ことを特徴とする請求項１、２、３、４または５記載のゴルフクラブ用グリップ。
【発明の詳細な説明】
【技術分野】
【０００１】
本発明は、ゴルフクラブ用シャフトの基端部に装着されて使用されるゴルフクラブ用グリップに関するものである。
【背景技術】
【０００２】
一般に、ゴルフクラブのグリップは、スイング時の滑りを防止するために摩擦係数の大きいゴム等によって形成されているが、滑り止めを強化するため、グリップ本体の表面全体に亘って複数の植毛部を設けたり（例えば、特許文献１参照。）、或いはグリップ本体と手袋とを面ファスナで結合可能に構成したものが知られている（例えば、特許文献２参照。）。
【特許文献１】特開平１０−３１５１６１号公報
【特許文献２】実開平５−１３４７４号公報
【発明の開示】
【発明が解決しようとする課題】
【０００３】
ところで、ゴルフクラブを構えた際、ゴルフクラブヘッドの向きが適正か否かは、専らゴルファーの視覚的情報により判断されるが、このような視覚的情報のみでは正確な方向再現性を得ることができず、特に傾斜面でのショットやフェースの向きを意図的に調整したい場合には経験や技量に頼らざるを得ず、ミスショットが発生し易くなるという問題点があった。また、ゴルフクラブのグリップには、いわゆるバックラインとして長手方向に延びる突条部が設けられたものもあるが、バックラインによるグリップの把持感ではゴルフクラブの周方向位置を正確に把握することは困難であった。
【０００４】
本発明は前記問題点に鑑みてなされたものであり、その目的とするところは、グリップした際の周方向位置を正確に把握することのできるゴルフクラブ用グリップを提供することにある。
【課題を解決するための手段】
【０００５】
本発明は前記目的を達成するために、グリップ本体を弾性材料によって形成され、ゴルフクラブシャフトの基端部に装着されるゴルフクラブ用グリップにおいて、前記グリップ本体の外周面の周方向所定箇所に、他の部分と異なった感触を有する触感部を設けている。
【０００６】
これにより、グリップすると触感部がグリップ本体の周方向所定位置で手指に接触することから、触感部の感触により周方向位置を正確に把握することができる。
【発明の効果】
【０００７】
本発明のゴルフクラブ用グリップによれば、グリップした際、触感部の感触により周方向位置を正確に把握することができるので、グリップする方向の再現性を高めることができる。これにより、ゴルフクラブヘッドを常に適正な向きにして構えることができ、ミスショットの発生を少なくすることができる。
【発明を実施するための最良の形態】
【０００８】
図１乃至図５は本発明の第１の実施形態を示すもので、図１は本発明のグリップを装着したゴルフクラブの正面図、図２はグリップの底面図、図３は図２におけるＢ−Ｂ線矢視方向断面図、図４は図１におけるＡ−Ａ線矢視方向断面図、図５は実験結果を示す図である。
【０００９】
同図に示すゴルフクラブ１は、スチールまたはカーボンからなるゴルフクラブシャフト２と、ゴルフクラブシャフト２の先端部に取付けられたゴルフクラブヘッド３と、ゴルフクラブシャフト２の基端部に装着されたグリップ４とから構成されている。
【００１０】
グリップ４は一端を閉塞したテーパ筒状のグリップ本体５をゴム等の弾性材料によって形成してなり、グリップ本体５内にはゴルフクラブシャフト２の基端部が圧入されるようになっている。グリップ本体５の外周面における周方向所定箇所には、他の部分と感触の異なる触感部６が設けられ、触感部６はグリップ本体５に植毛された多数の短繊維６ａ（パイル）によって形成されている。この場合、触感部６は、グリップ本体５の全長Ｌ1 に対して２０％以上の長さＬ2 と、周方向３ｍｍ以上３０ｍｍ以下の幅Ｗとを有する領域に形成されている。短繊維６ａは、例えばナイロン、ポリエステル、アクリル、ポリウレタン等の素材からなり、後述する静電植毛によってグリップ本体５に植毛されている。この場合、短繊維６ａは、断面径が８デニール以上２５デニール以下に形成され、繊維長が１ｍｍ以上１．５ｍｍ以下に形成されている。また、グリップ本体５の外周面には、グリップ本体５の長手方向に延びる突条部７が設けられるようになっており、この突条部７によってバックラインが形成される。この場合、グリップ本体５の内周面には他の部分よりも肉厚の大きい平坦部５ａが設けられており、グリップ本体５内にゴルフクラブシャフト２を挿入すると、平坦部５ａの肉厚部分がグリップ本体５の外周面側に突出し、突条部７が形成されるようになっている。
【００１１】
ここで、前記短繊維６ａを静電植毛により植毛する方法について説明する。この静電植毛では、前処理として、必要に応じてグリップ本体５の表面に脱脂、プライマー処理を行うとともに、触感部６を形成する部分の周りをマスキングして接着剤を塗布する。そして、２万ボルト〜１０万ボルトの高電圧静電界における静電吸引力により、接着剤が塗布されたグリップ本体５の表面に短繊維６ａを垂直に投錨させた後、接着剤を乾燥させることにより触感部６を形成する。
【００１２】
以上の構成においては、ゴルフクラブ１を構えたときにグリップ本体５の触感部６がゴルファー側に位置するようにグリップ４をゴルフクラブシャフト２に装着する。これにより、グリップ４を握ると突条部７上の触感部６がグリップ本体５の周方向所定位置で手指に接触するため、触感部６の感触により周方向位置を正確に把握することができる。この場合、触感部６の長さＬ2 をグリップ本体５の全長Ｌ1 に対して２０％以上にすることにより、手指との長さ方向の接触範囲が十分になり、触感部６をより認識し易くなる。また、触感部６の幅Ｗを周方向３ｍｍ以上３０ｍｍ以下することにより、手指との幅方向の接触範囲が適正になり、触感部６をより認識し易くなる。更に、触感部６の短繊維６ａの断面径を８デニール以上２５デニール以下にすることにより、手指と短繊維６ａとの接触抵抗が適正になり、より好ましい感触が得られ、触感部６をより認識し易くなる。また、短繊維６ａの繊維長を１ｍｍ以上１．５ｍｍ以下にすることにより、短繊維６ａの感触がより良好になるとともに、短繊維６ａを含めたグリップ４の剛性をより好ましく保つことが可能となる。
【００１３】
ここで、本発明の実施例１〜１２及び比較例について、グリップする方向の再現性の実験を行った。この実験では、直線の引かれた平面盤上に被験者としてのゴルファーが立ち、その直性を目標方向にしてアドレスする。アドレス後にゴルフクラブのリーディングエッジを前記平面に投影した線と前記直線とのなす角度を測定し、被験者は一旦平面盤上から降り、再度平面盤上に立ってアドレスする。これを５回繰り返して毎回の測定角度の標準偏差を求める。前記測定を平面盤の傾斜角度が０゜、左足上がりに５゜、左足下がりに５゜、つま先上がりに５゜、つま先下がりに５゜の５種類の条件についてそれぞれ行った。ここでは、各実施例１〜１２及び比較例のゴルフクラブを用いて３０人の被験者について行い、各条件ごとの前記標準偏差について、各条件及び３０人に関する総平均値を求めた。そして、比較例の総平均値を１００とし、その指数（（比較例の総平均値／各実施例の総平均値）×１００）を各実施例１〜１２の評点とした。評点が高いほど標準偏差が小さいため、グリップする方向の再現性が高いと判定した。尚、本実験では、各実施例１〜１２及び比較例に、それぞれロフト角度３２゜、長さ３７．５インチのゴルフクラブを用い、比較例には植毛部分（触感部６）を有しないものを用いた。また、各実施例１〜１２は植毛部分の長さ、幅、短繊維の断面径、繊維長の異なるものを用いた。
【００１４】
前記実験の結果、図５に示すように各実施例１〜１２は全て評点が比較例よりも高く、グリップする方向の再現性が高いという結果が得られた。
【００１５】
このように、本実施形態によれば、グリップ本体５の外周面の周方向所定箇所に他の部分と異なった感触を有する触感部６を設けたので、グリップした際、触感部６の感触によりグリップ４の周方向位置を正確に把握することができ、グリップする方向の再現性を高めることができる。これにより、ゴルフクラブヘッド３を常に適正な向きにして構えることができ、ミスショットの発生を少なくすることができる。
【００１６】
また、触感部６の長さＬ2 をグリップ本体５の全長Ｌ1 に対して２０％以上とし、その周方向の幅Ｗを３ｍｍ以上３０ｍｍ以下にしたので、手指との長さ方向の接触範囲を十分に確保することができ、触感部６を確実に認識することができる。
【００１７】
更に、グリップ本体５に植毛された短繊維６ａによって触感部６を形成するようにしたので、短繊維６ａの適度な抵抗感や撓みにより、フィット感を損うことなく確実にグリップすることができる。
【００１８】
また、短繊維６ａを静電植毛によって植毛するようにしたので、触感部６を容易に形成することができ、製造上極めて有利である。
【００１９】
更に、短繊維６ａを８デニール以上２５デニール以下の断面径に形成するとともに、１ｍｍ以上１．５ｍｍ以下の繊維長に形成したので、短繊維６ａの抵抗による感触を適正にすることができ、グリップ時のフィット感を向上させることができる。
【００２０】
また、触感部６をグリップ本体５の長手方向に延びる突条部７（バックライン）に設けたので、突条部７を頼りにグリップの方向性を再現しようとする場合、突条部７上の触感部６による感触を高めることができ、方向再現性の向上に極めて有利である。
【００２１】
尚、前記実施形態では、短繊維６ａを静電植毛によって植毛するようにしたものを示したが、例えば織物を接着剤または両面粘着テープによって貼り付けるなど、他の植毛方法により触感部を形成することもできる。
【００２２】
また、前記実施形態では、触感部６を植毛により形成したものを示したが、他の部分と感触の異なる部分であれば、植毛によって形成されたものに限定されることはなく、図６乃至図８に示すものであってもよい。即ち、図６の第２の実施形態に示す触感部８は、成型や表面処理によって形成された梨地等の粗面８ａからなるものである。また、図７の第３の実施形態に示す触感部９は、グリップ本体５に埋設された滑り止め用の周知のコード９ａからなるものである。更に、図８の第４の実施形態に示す触感部１０は、グリップ本体５に設けられた複数の突起１０ａからなるものである。
【図面の簡単な説明】
【００２３】
【図１】本発明の第１の実施形態に係るグリップを装着したゴルフクラブの正面図
【図２】グリップの底面図
【図３】図２におけるＢ−Ｂ線矢視方向断面図
【図４】図１におけるＡ−Ａ線矢視方向断面図
【図５】実験結果を示す図
【図６】本発明の第２の実施形態を示すグリップの底面図
【図７】本発明の第３の実施形態を示すグリップの底面図
【図８】本発明の第４の実施形態を示すグリップの底面図
【符号の説明】
【００２４】
４…グリップ、５…グリップ本体、６…触感部、６ａ…短繊維、７…突条部、８．９，１０…触感部。
【図１】
2008023189.tif 000003
【図２】
2008023189.tif 000004
【図３】
2008023189.tif 000005
【図４】
2008023189.tif 000006
【図５】
2008023189.tif 000007
【図６】
2008023189.tif 000008
【図７】
2008023189.tif 000009
【図８】
2008023189.tif 000010